(57)【要約】【課題】  クリーニングカードによる汚れの除去が充分に行えるとともに経済性に優れ、かつ使い勝手を向上させる。【解決手段】  カード挿入口から挿入されたカードが、Ｓ４においてクリーニングカードでないと識別されると、Ｓ５において第２のセンサで検知されることにより、クリーニングを中止する。Ｓ４においてクリーニングカードであると識別されると、Ｓ６においてクリーニングカードに書き込まれたクリーニングの実施回数ｎをクリーニング可能回数Ｎと比較する。ｎ≧Ｎであると、Ｓ９においてクリーニングを停止させる。ｎ≧Ｎではないと、Ｓ７において搬送手段をＸ秒だけ走行させクリーニングカードによって搬送手段の汚れを除去する。クリーニングが終了したら、Ｓ８においてクリーニングカードにクリーニングの実施回数としてｎ＋１を書込む。【選択図】  図３
2005182946.tif 000002
【特許請求の範囲】
【請求項１】
カード挿入口から挿入されたカードをカード搬送路内で搬送させる搬送手段と、カードに記録されたデータを処理するカード処理部とを備え、前記搬送手段の汚れをクリーニングカードによって除去するカード処理装置において、
前記カード挿入口から挿入されたカードがクリーニングカードか否かを識別し、
挿入されたカードがクリーニングカードであるときこのカードにクリーニングを実施した実施回数を前記カード処理部によって記録し、
この記録された実施回数を前記カード処理部によって読み取り、この読み取った回数が予め定めたクリーニング可能回数に達っすると、クリーニングカードによるクリーニング動作を停止させる制御部を備えたことを特徴とするカード処理装置。
【請求項２】
請求項１記載のカード処理装置において、
前記制御部は、前記カード処理部によって読み取ったクリーニングを実施した実施回数に応じて前記クリーニングカードによるクリーニング処理時間を設定することを特徴とするカード処理装置。
【発明の詳細な説明】
【技術分野】
【０００１】
本発明は、カードを搬送するための搬送ベルトや搬送ローラに付着した汚れをクリーニングカードによって除去するカード処理装置に関するものである。
【背景技術】
【０００２】
この種のカード処理装置においては、クリーニングカードをカード挿入口から挿入し、クリーニングカードに設けたストッパをカード挿入口の開口端縁に係止した状態で、搬送ベルトや搬送ローラを駆動することにより、搬送ベルトや搬送ローラに付着した汚れをクリーニングカードによって除去するようにしている。従来のカード処理装置には、クリーニングカードに対するストッパの着脱位置を可変可能にし、クリーニングカードの全面をクリーニング用として均一に使用するようにして安定した効率のよいクリーニングを行うものがある（例えば、特許文献１参照）。また、クリーニングカードの表裏に使用回数表示桝を設け、クリーニング動作終了後に、使用回数表示桝の一つを塗りつぶし、全ての桝が塗りつぶされると、クリーニングカードの表裏を反転させて使用するものもある（例えば、特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】特開平９−７１２８号公報（段落「００１４」および「００１５」、図２）
【特許文献２】特開平９−７１２９号公報（段落「００１３」、図１）
【発明の開示】
【発明が解決しようとする課題】
【０００３】
上述した従来のカード処理装置のうち、前者の装置においては、ストッパの着脱位置を変更する時期の選択を、専ら作業者の記憶や勘に頼るものであるから、正確な使用回数毎にストッパの着脱位置を変更することが困難になっていた。このため、使用回数がカードによるクリーニング可能な回数を超えてしまうと、クリーニングカードによる汚れの除去が不充分となるおそれがあった。一方、クリーニング可能な回数に達する以前に新しいクリーニングカードに交換してしまうと不経済であるという問題があった。また、後者の装置においては、使用回数毎に使用回数表示桝を一つづ塗りつぶしていかなければならないため、煩雑で使い勝手が悪いという問題があった。
【０００４】
本発明は上記した従来の問題に鑑みなされたものであり、その目的とするところは、クリーニングカードによる汚れの除去が充分に行えるとともに経済性に優れ、かつ使い勝手を向上させることにある。
【課題を解決するための手段】
【０００５】
この目的を達成するために、請求項１に係る発明は、カード挿入口から挿入されたカードをカード搬送路内で搬送させる搬送手段と、カードに記録されたデータを処理するカード処理部とを備え、前記搬送手段の汚れをクリーニングカードによって除去するカード処理装置において、前記カード挿入口から挿入されたカードがクリーニングカードか否かを識別し、挿入されたカードがクリーニングカードであるときこのカードにクリーニングを実施した実施回数を前記カード処理部によって記録し、この記録された実施回数を前記カード処理部によって読み取り、この読み取った回数が予め定めたクリーニング可能回数に達っすると、クリーニングカードによるクリーニング動作を停止させる制御部を備えたものである。
【０００６】
請求項２に係る発明は、請求項１に係る発明において、前記制御部は、前記カード処理部によって読み取ったクリーニングを実施した実施回数に応じて前記クリーニングカードによるクリーニング処理時間を設定するものである。
【発明の効果】
【０００７】
請求項１に係る発明によれば、クリーニングカードの交換を作業者の記憶や勘を頼りに行うことなく、自動的かつ正確に行うことができるため使い勝手が向上する。また、新しいクリーニングカードによって確実に汚れを除去でき、かつ使用可能なクリーニングカードを誤って新しいクリーニングカードに交換するようなことがないから経済性にも優れている。
請求項２に係る発明によれば、クリーニングの実施回数の違いによるクリーニングの効果のばらつきを低減できる。
【発明を実施するための最良の形態】
【０００８】
以下、本発明の実施の形態を図に基づいて説明する。図１は本発明に係るカード処理装置を示し、同図（ａ）は平面図、同図（ｂ）は同図（ａ）におけるI（ｂ）-I（ｂ）線断面図、図２は同じくブロック図、図３は同じくクリーニング動作を説明するためのフローチャートである。
【０００９】
図１に全体を符号１で示す非接触型カード処理装置は、カード搬送路４を形成するロアーケース２とアッパーケース３とを備えており、カード搬送路４の矢印Ｂ方向の端部にはカード挿入口５が設けられている。７はロアーケース２側に取り付けられた正・逆方向に駆動する駆動部としてのモータであって、出力軸にはウォーム８が軸着されており、このウォーム８には、カード搬送方向（矢印Ａ−Ｂ方向）と直交する方向に延在するように、ロアーケース２側に回転自在に支持された駆動軸９の一端部に軸着されたウォーム１０が噛合している。
【００１０】
駆動軸９の他端部には駆動プーリ１１が軸着されており、この駆動プーリ１１の上端はカード搬送路４内に臨んでいる。１２はロアーケース２側に駆動軸９と平行となるように横架された従動軸であって、この従動軸１２には、上端がカード搬送路４に臨む従動プーリ１３が回転自在に支持されており、この従動プーリ１３と駆動プーリ１１との間には駆動ベルト１４が張架されている。１６，１８は軸１７，１９に回転自在に支持され駆動プーリ１１または従動プーリ１３のそれぞれに対向するピンチローラであって、図示を省略した付勢手段によって駆動ベルト１４に対接している。
【００１１】
２０はアンテナ基板であって、カード搬送路４と平行にカード搬送路４から離間した状態でアッパーケース３に取り付けられており、後述するクリーニングカード２５および図示を省略した非接触型ＩＣカードのそれぞれのデータを処理するカード処理部としてのＲ／Ｗ部２１が設けられている。２２はカード搬送路４のカード挿入口５の近傍に設けられた第１のセンサ、２３はカード搬送路４の矢印Ａ方向の端部に設けられた第２のセンサである。
【００１２】
図２において、２４は制御部であって、クリーニングカード２５の情報部に書き込まれたクリーニングの実施回数を前記Ｒ／Ｗ部２１によって読み取り、この読み取った回数が予め定めたクリーニング可能回数に達っすると、モータ７の駆動を停止し、クリーニングカード２５によるクリーニング動作を停止させる。また、制御部２４は、第１のセンサ２２によってクリーニングカード２５および非接触型ＩＣカードの先端が検知されると、モータ７を正方向に駆動し、第２のセンサ２３によってクリーニングカード２５および非接触型ＩＣカードの先端が検知されると、モータ７の駆動を停止させる。
【００１３】
クリーニングカード２５はカード挿入口５からカード搬送路４内に挿入され、全体が合成樹脂によって形成され、表裏に搬送ベルト１４およびピンチローラ１６，１８の表面に付着した汚れを除去する研磨部が設けられている。また、このクリーニングカード２５の後端の両側部には、矢印Ａ−Ｂと直交する方向に突設されカード挿入口５の開口端縁５ａ，５ａに係合するストッパ２６，２６が一体に設けられている。このクリーニングカード２５には、クリーニングカードであることが識別されるカード固有のデータと、このクリーニングカード２５によってクリーニングした実施回数が書き込まれる情報部（図示せず）が設けられている。
【００１４】
２７はクリーニングカード２５に枠状に形成されたアンテナ部であって、前記アンテナ基板２０との間で無線によって通信することにより、情報部に記録されたカード固有のデータがアンテナ基板２０のＲ／Ｗ部２１によって読み取られる。また、アンテナ基板２０のＲ／Ｗ部２１によって、クリーニングカード２５の情報部に、クリーニングカード２５によるクリーニング動作が終了した時点で、クリーニングの実施回数が書き換えられ、この実施回数はＲ／Ｗ部２１によって読み取られる。
【００１５】
次に、図３を用いてこのような構成の非接触型カード処理装置におけるクリーニング動作について説明する。
【００１６】
Ｓ１において、カードがカード挿入口５からカード搬送路４内に挿入され、挿入されたカードの前端が第１のセンサ２２によって検出されると、モータ７を正方向に駆動する（Ｓ２、Ｓ３）。モータ７が正方向に駆動すると、ウォーム８、ウォームホイール１０および駆動軸９を介して、駆動ローラ１１が図１（ｂ）中反時計方向に回動し、搬送ベルト１４が矢印Ａ方向に走行する。したがって、カード搬送路４内に挿入されたカードの前端が搬送ベルト１４とピンチローラ１６の対接部まで位置付けられると、カードはこれら搬送ベルト１４とピンチローラ１６とによって挟持され、矢印Ａ方向へ搬送される。
【００１７】
矢印Ａ方向へ搬送されカード搬送路４内に取り込まれたカードに記録されたカード固有のデータが装置側のアンテナ基板２０のＲ／Ｗ部２１によって読み取られ、カードがクリーニングカードではない場合には、制御部２４においてクリーニングモードではないと判断する。したがって、Ｓ５においてカードの前端が第２のセンサ２３によって検出されるまで、モータ７が駆動しカードは矢印Ａ方向に搬送され、カードの前端が第２のセンサ２３によって検出されると、制御部２４がモータ７の駆動を停止し、クリーニングは行われない（Ｓ９）。
【００１８】
一方、Ｓ４において、カード搬送路４内に取り込まれたカードがクリーニングカード２５である場合には、クリーニングカード２５の情報部に記録されたカード固有のデータが、アンテナ基板２０のＲ／Ｗ部２１によって読み取られ、制御部２４ではカードがクリーニングカードであると判断する。したがって、制御部２４ではクリーニングモードであると判断し、クリーニングカード２５の情報部に書き込まれた実施回数ｎが、アンテナ基板２０のＲ／Ｗ部２１によって読み取られる。
【００１９】
制御部２４では、実施回数ｎと予め定めたクリーニング可能回数Ｎと比較し、ｎ≧Ｎである場合、すなわち実施回数ｎが予め定めたクリーニング可能回数Ｎに達している場合には、モータ７の駆動を停止し、クリーニング動作は行われない（Ｓ９）。一方、Ｓ６においてｎ≧Ｎでない場合、すなわち、実施回数ｎが予め定めたクリーニング可能回数Ｎに達していない場合には、制御部２４ではこのクリーニングカードによってクリーニングが可能と判断し、制御部２４では、モータ７を正方向に駆動する。
【００２０】
モータ７が正方向に駆動すると、搬送ベルト１４が、図１（ｂ）中矢印Ａ方向に走行し、クリーニングカード２５が矢印Ａ方向へ搬送され、クリーニングカード２５のストッパ２６，２６がカード挿入口５の開口端縁５ａ，５ａに係合し、クリーニングカード２５の搬送が停止する。モータ７の正方向への駆動は継続されており、停止したクリーニングカードの表裏に設けた研磨部に搬送ベルト１４とピンチローラ１６，１８とが摺接し、搬送ベルト１４とピンチローラ１６，１８の表面に付着した汚れが除去される。モータ７を正方向にＸ秒間だけ駆動することにより、クリーニングカード２５によるクリーニング動作が終了し、アンテナ基板２０のＲ／Ｗ部２１によって、クリーニングカード２５の情報部にクリーニング実施回数としてｎ＋１が書き換えられ（Ｓ７、Ｓ８）、Ｓ９においてモータ７の駆動が停止する。
【００２１】
このように、本願発明においては、クリーニングカード２５のクリーニング実施回数ｎをクリーニングカード２５の情報部に書き込み、この情報部に書き込まれた実施回数ｎをＲ／Ｗ部２１によって読取り、この読み取った実施回数ｎが予め定めたクリーニング可能回数Ｎに達っすると、制御部２４によってクリーニングカードによるクリーニング動作を停止させるようにしたものである。したがって、クリーニングカード２５の交換を作業者の記憶や勘を頼りに行うことなく、自動的かつ正確に行うことができるため使い勝手が向上するとともに、新しいクリーニングカードによって確実に汚れを除去でき、かつ使用可能なクリーニングカードを誤って新しいクリーニングカードに交換するようなことがないから経済性にも優れている。
【００２２】
また、クリーニングカード２５の両側部に、カード挿入口５の開口端縁５ａ，５ａに係合するストッパ２６，２６を設けたことにより、クリーニング動作中にクリーニングカード２５を手によって把持する必要がないから使い勝手が向上する。
【００２３】
なお、本実施の形態においては、搬送手段を搬送ベルト１４とピンチローラ１６，１８とによって構成した例を示したが、互いに対接する駆動ローラおよびピンチローラまたはベルトどうしの搬送手段を使用した装置にも適用できる。また、クリーニング処理時間Ｘを、クリーニングの実施回数ｎに関係なく同じ時間としたが、制御部２４は、Ｒ／Ｗ部２１によって読み取ったクリーニングを実施した実施回数ｎに応じてクリーニングカード２５によるクリーニング処理時間Ｘを設定するように制御してもよい。例えば、ｎ＝０のときにはクリーニング処理時間を「Ｘ」とし、「ｎ」が「Ｎ」に近づくにつれて「Ｘ」を長くし、ｎ＝Ｎのときに、クリーニング処理時間を２Ｘとするように、クリーニング処理時間を「ｎ」の大きさに応じて漸次長くなるように制御してもよい。このような制御により、実施回数ｎの違いによるクリーニングの効果のばらつきを低減できる。また、クリーニング処理時間の設定については、０≦ｎ≦Ｎ／２のときに、クリーニング処理時間を「Ｘ」とし、Ｎ／２＜ｎ≦Ｎのときに、クリーニング処理時間を「２Ｘ」としてもよく、クリーニングの実施回数「ｎ」に対するクリーニングの処理時間「Ｘ」の関係は種々設計変更が可能である。
【図面の簡単な説明】
【００２４】
【図１】本発明に係るカード処理装置を示し、同図（ａ）は平面図、同図（ｂ）は同図（ａ）におけるI（ｂ）-I（ｂ）線断面図である。
【図２】本発明に係るカード処理装置におけるブロック図である。
【図３】本発明に係るカード処理装置におけるクリーニング動作を説明するためのフローチャートである。
【符号の説明】
【００２５】
１…非接触型カード処理装置、４…カード搬送路、５…カード挿入口、７…モータ（駆動部）、１４…搬送ベルト、１６，１８…ピンチローラ、２０…アンテナ基板、２１…Ｒ／Ｗ部、２２…第１のセンサ、２３…第２のセンサ、２４…制御部、２５…クリーニングカード、２６…ストッパ、２７…アンテナ部。
【図１】
2005182946.tif 000003
【図２】
2005182946.tif 000004
【図３】
2005182946.tif 000005